(57)【要約】【課題】本発明は、水中撮影時においてリア操作ボタン群を介して内蔵したカメラのリアボタン群を速やかに操作できる水中カメラハウジングのリア操作ボタン機構を提供する。【解決手段】本発明は、背面隅部に略縦一列に列設したメニューボタン、インフォメーションボタン、ジャンプボタン、再生ボタン、消去ボタン等からなるリアボタン群を備えるカメラ２０をハウジング本体２に内蔵した状態で、リアボタン群をハウジング本体２の側部に設けたハンドグリップ体５を握りつつこのハウジング本体２の背面外部から押圧操作するようにした水中カメラハウジング１のリア操作ボタン機構１０であって、メニュー操作ボタン、インフォメーション操作ボタン、ジャンプ操作ボタン、再生操作ボタン、消去操作ボタン等からなる複数個のリア操作ボタン群を、カメラ２０のリアボタン群に対応する略縦一列配置で、かつ、ハウジング本体２の背面に対する取り付け角度を前記ハンドグリップ体５側に傾けた角度としたものである。【選択図】図１
2009157171.tif 000002
【特許請求の範囲】
【請求項１】
背面隅部に列設した複数個のリアボタン群を備えるカメラをハウジング本体に内蔵した状態で、前記リアボタン群をハウジング本体の側部に設けたハンドグリップ体を握りつつこのハウジング本体の背面外部から押圧操作するようにした水中カメラハウジングのリア操作ボタン機構であって、
リア操作ボタン機構を構成する複数個のリア操作ボタン群を、前記カメラのリアボタン群に対応する配置で、かつ、ハウジング本体の背面に対する取り付け角度を前記ハンドグリップ体側に傾けた角度としたことを特徴とする水中カメラハウジングのリア操作ボタン機構。
【請求項２】
背面隅部に略縦一列に列設した複数個のリアボタン群を備えるカメラをハウジング本体に内蔵した状態で、前記リアボタン群をハウジング本体の側部に設けたハンドグリップ体を握りつつこのハウジング本体の背面外部から押圧操作するようにした水中カメラハウジングのリア操作ボタン機構であって、
リア操作ボタン機構を構成する複数個のリア操作ボタン群を、前記カメラのリアボタン群に対応する略縦一列配置で、かつ、ハウジング本体の背面に対する取り付け角度を前記ハンドグリップ体側に傾けた角度としたことを特徴とする水中カメラハウジングのリア操作ボタン機構。
【請求項３】
背面隅部に略縦一列に列設したメニューボタン、インフォメーションボタン、ジャンプボタン、再生ボタン、消去ボタン等からなる複数個のリアボタン群を備えるカメラをハウジング本体に内蔵した状態で、前記リアボタン群をハウジング本体の側部に設けたハンドグリップ体を握りつつこのハウジング本体の背面外部から押圧操作するようにした水中カメラハウジングのリア操作ボタン機構であって、
リア操作ボタン機構を構成するメニュー操作ボタン、インフォメーション操作ボタン、ジャンプ操作ボタン、再生操作ボタン、消去操作ボタン等からなる複数個のリア操作ボタン群を、前記カメラのリアボタン群に対応する略縦一列配置で、かつ、ハウジング本体の背面に対する取り付け角度を前記ハンドグリップ体側に傾けた角度としたことを特徴とする水中カメラハウジングのリア操作ボタン機構。
【発明の詳細な説明】
【技術分野】
【０００１】
本発明は、水中カメラハウジングのリア操作ボタン機構に関するものである。
【背景技術】
【０００２】
水中カメラハウジング内にデジタルカメラ等のカメラを内蔵し、水中にて水中植物、魚類等のような被写体の撮影を行う際には、内蔵するカメラの背面隅部に列設したメニューボタン、インフォメーションボタン等の複数個のリアボタン群をハウジング本体の背面外部に設けたリア操作ボタン群により操作することが必要となる。
【０００３】
従来においては、ハウジング本体の背面外部に設けたリア操作ボタン群と、カメラのリアボタン群との配置関係が直線的関係にあり、カメラマンにとって必ずしも操作性が良好とは言えなかった。
【０００４】
すなわち、カメラのリアボタン群は、カメラ背面と直交する方向から操作するように構成され、また、ハウジング本体の背面外部に設けたリア操作ボタン群もハウジング本体の背面と直交する方向から操作するように構成されたものである。
この結果、カメラマンは、陸上での撮影に比べ身体の制約が多い水中撮影時において、ハウジング本体の側部に設けたハンドグリップ体を中指、薬指等で握りつつ長さの短い親指にてリア操作ボタン群を介して内蔵したカメラのリアボタン群を速やかに操作する作業を行なうことは容易ではなかった。
【０００５】
特許文献１には、ハウジング本体の両サイドにグリップを取り付け、このグリップに操作ボタンを設けてハウジング本体内のカメラの操作を行なうようにした水中カメラ収容ハウジングが提案されている。
【０００６】
しかし、この特許文献１の水中カメラ収容ハウジングを含め、カメラのリアボタン群を簡略に操作し得えるような水中カメラハウジングは見当たらないのが現状である。
【特許文献１】特開２００２−１２２９２９号公報
【発明の開示】
【発明が解決しようとする課題】
【０００７】
本発明が解決しようとする問題点は、陸上での撮影に比べ身体の制約が多い水中撮影時にハンドグリップ体を握りつつ親指にてリア操作ボタン群を介して内蔵したカメラのリアボタン群を速やかに操作し得えるような水中カメラハウジングのリア操作ボタン機構が存在しない点である。
【課題を解決するための手段】
【０００８】
本発明は、背面隅部に列設した複数個のリアボタン群を備えるカメラをハウジング本体に内蔵した状態で、前記リアボタン群をハウジング本体の側部に設けたハンドグリップ体を握りつつこのハウジング本体の背面外部から押圧操作するようにした水中カメラハウジングのリア操作ボタン機構であって、リア操作ボタン機構を構成する複数個のリア操作ボタン群を、前記カメラのリアボタン群に対応する配置で、かつ、ハウジング本体の背面に対する取り付け角度を前記ハンドグリップ体側に傾けた角度としたことを最も主要な特徴とする。
【発明の効果】
【０００９】
請求項１記載の発明によれば、ハウジング本体側の複数個のリア操作ボタン群を、カメラのリアボタン群に対応する配置で、かつ、ハウジング本体の背面に対する取り付け角度をハンドグリップ体側に傾けた角度としているので、カメラマンはリア操作ボタン群を介してカメラのリアボタン群を容易かつ速やかに操作することができ、水中撮影時におけるリアボタン群に対する操作性向上を図ることができる水中カメラハウジングのリア操作ボタン機構を提供できる。
【００１０】
請求項２記載の発明によれば、ハウジング本体側のリア操作ボタン群、カメラのリアボタン群を各々略縦一列に列設した構成で、請求項１記載の発明と同様な効果を奏する水中カメラハウジングのリア操作ボタン機構を提供できる。
【００１１】
請求項３記載の発明によれば、ハウジング本体側のリア操作ボタン群をメニュー操作ボタン、インフォメーション操作ボタン、ジャンプ操作ボタン、再生操作ボタン、消去操作ボタン等からなる構成とし、カメラのリアボタン群をメニューボタン、インフォメーションボタン、ジャンプボタン、再生ボタン、消去ボタン等からなる構成として、カメラマンはリア操作ボタン群の各ボタンを介してカメラのリアボタン群の各ボタンを各々容易かつ速やかに操作することができ、水中撮影時におけるリアボタン群に対する操作性向上を図ることができる水中カメラハウジングのリア操作ボタン機構を提供できる。
【発明を実施するための最良の形態】
【００１２】
本発明は、水中撮影時においてハンドグリップ体を握りつつ親指にてリア操作ボタン群を介して内蔵したカメラのリアボタン群を速やかに操作できる操作性の良好な水中カメラハウジングのリア操作ボタン機構を提供することを目的とする。
【００１３】
本発明は、背面隅部に略縦一列に列設したメニューボタン、インフォメーションボタン、ジャンプボタン、再生ボタン、消去ボタン等からなる複数個のリアボタン群を備えるカメラをハウジング本体に内蔵した状態で、前記リアボタン群をハウジング本体の側部に設けたハンドグリップ体を握りつつこのハウジング本体の背面外部から押圧操作するようにした水中カメラハウジングのリア操作ボタン機構であって、リア操作ボタン機構を構成するメニュー操作ボタン、インフォメーション操作ボタン、ジャンプ操作ボタン、再生操作ボタン、消去操作ボタン等からなる複数個のリア操作ボタン群を、前記カメラのリアボタン群に対応する略縦一列配置で、かつ、ハウジング本体の背面に対する取り付け角度を前記ハンドグリップ体側に傾けた角度とした構成により上記目的を実現した。
【実施例】
【００１４】
以下に、本発明の実施例に係る水中カメラハウジングのリア操作ボタン機構について詳細に説明する。
【００１５】
本実施例に係る水中カメラハウジング１のリア操作ボタン機構１０は、図１に示すように、例えばデジタルカメラからなるカメラ２０を内蔵するハウジング本体２を構成する表ハウジング３、裏ハウジング４のうちの前記裏ハウジング４の背面隅部に略縦一列配置に複数個のリア操作ボタン群を取り付けることにより構成している。
【００１６】
前記表ハウジング３、裏ハウジング４は、着脱可能であり、かつ、前記カメラ２０を内蔵した状態で水密構造で結合され、前記カメラ２０に対する水の浸水を防止するようになっている。
【００１７】
また、前記ハウジング本体２における表ハウジング３の左右両側部には、各々カメラマンの左右両手用のグリップ部として機能するハンドグリップ体５、６が取り付けられ、その頂部に各々図示しない外部ストロボ等の外部機器を取り付けるためのブラケットシュー７を配置している。
【００１８】
前記カメラ２０の背面隅部には、略縦一列にメニューボタン２１、インフォメーションボタン２２、ジャンプボタン２３、再生ボタン２４、消去ボタン２５等からなる例えば各々プシュボタン式の複数個のリアボタン群を配置している。
【００１９】
一方、前記裏ハウジング４の背面隅部に設けたリア操作ボタン機構１０は、前記カメラ２０のリアボタン群に対応する略縦一列配置で、かつ、裏ハウジング４の背面に対する取り付け角度を図１において左側のハンドグリップ体５側に傾けた角度として取り付けている。
【００２０】
前記リア操作ボタン機構１０は、前記メニューボタン２１、インフォメーションボタン２２、ジャンプボタン２３、再生ボタン２４、消去ボタン２５等に個々に対応する例えば各々プシュボタン式のメニュー操作ボタン１１、インフォメーション操作ボタン１２、ジャンプ操作ボタン１３、再生操作ボタン１４、消去操作ボタン１５等を具備している。
【００２１】
前記リア操作ボタン機構１０のメニュー操作ボタン１１、インフォメーション操作ボタン１２、ジャンプ操作ボタン１３、再生操作ボタン１４、消去操作ボタン１５等の裏ハウジング４の背面に対する取り付け角度としては、例えば、図１に示すように、裏ハウジング４の背面と直交する線分Ｌに対して、３０度又は略３０度程度左側のハンドグリップ体５側に傾ける例を挙げることができる。
【００２２】
尚、前記ハウジング本体２、カメラ２０は、上述したものの他種々の構成要素を含むが本実施例においてはその説明を省略する。
【００２３】
本実施例に係る水中カメラハウジング１のリア操作ボタン機構１０によれば、リア操作ボタン機構１０のメニュー操作ボタン１１、インフォメーション操作ボタン１２、ジャンプ操作ボタン１３、再生操作ボタン１４、消去操作ボタン１５等の裏ハウジング４の背面に対する取り付け角度を、上述したように、前記裏ハウジング４の背面と直交する線分Ｌに対して、３０度又は略３０度程度左側のハンドグリップ体５側に傾けた角度としている。
【００２４】
従って、カメラマンが、水中撮影時において前記左側のハンドグリップ体５を左手の中指、薬指等で握りつつ長さの短い親指にて前記リア操作ボタン機構１０のメニュー操作ボタン１１、インフォメーション操作ボタン１２、ジャンプ操作ボタン１３、再生操作ボタン１４、消去操作ボタン１５等を各々操作する際に、これら各ボタンは各々従来例に比べ親指側に接近していることから、カメラマンはこれら各ボタンを各々親指にて容易かつ速やかに操作することができ、水中撮影時におけるカメラ２０のリアボタン群に対する操作性を極めて良好なものとすることができる。
【００２５】
尚、前記カメラ２０のリアボタン群、前記リア操作ボタン機構１０を構成するリア操作ボタン群の構成は一例であり、上述した実施例に限定されるものでないことは言うまでもない。
【産業上の利用可能性】
【００２６】
本発明に係る水中カメラハウジングのリア操作ボタン機構は、デジタルカメラ、スチールカメラ、ビデオカメラ等を問わず、ハウジング本体内に内蔵するリアボタンを有するカメラに関して広範に適用可能である。
【図面の簡単な説明】
【００２７】
【図１】本発明の実施例に係る水中カメラハウジングのリア操作ボタン機構及び内蔵するカメラを示す概略斜視図である。
【符号の説明】
【００２８】
１    水中カメラハウジング
２    ハウジング本体
３    表ハウジング
４    裏ハウジング
５    ハンドグリップ体
６    ハンドグリップ体
７    ブラケットシュー
１０    リア操作ボタン機構
１１    メニュー操作ボタン
１２    インフォメーション操作ボタン
１３    ジャンプ操作ボタン
１４    再生操作ボタン
１５    消去操作ボタン
２０    カメラ
２１    メニューボタン
２２    インフォメーションボタン
２３    ジャンプボタン
２４    再生ボタン
２５    消去ボタン
Ｌ    線分
【図１】
2009157171.tif 000003